(57)【要約】【課題】組織の診断および処置のために組織中へ直接挿入するためのマイクロ波アンテナアセンブリを提供する。【解決手段】マイクロ波アンテナアセンブリであって：  近位端および遠位端およびそれらの間に規定される内部管腔を有する細長い冷却ジャケット；  該細長い冷却ジャケットの少なくとも一部分内に配置され、そして内側コンダクターおよび外側コンダクターを有するらせん状マイクロ波アンテナ部材；を備え、該内側コンダクターが該外側コンダクター内に配置され、ここで、該内側コンダクターの少なくとも一部分が該外側コンダクターから遠位方向に延び、そして複数のループを形成し；ここで、該複数のループの少なくとも２つのループがそれらの間に電気的接続を形成し、そしてここで、該複数のループの少なくとも一部分がマイクロ波エネルギーを送達するような形態である、マイクロ波アンテナアセンブリ。【選択図】なし【特許請求の範囲】
【請求項１】
マイクロ波アンテナアセンブリであって：
近位端および遠位端およびそれらの間に規定される内部管腔を有する細長い冷却ジャケット；
該細長い冷却ジャケットの少なくとも一部分内に配置され、そして内側コンダクターおよび外側コンダクターを有するらせん状マイクロ波アンテナ部材；を備え、該内側コンダクターが該外側コンダクター内に配置され、ここで、該内側コンダクターの少なくとも一部分が該外側コンダクターから遠位方向に延び、そして複数のループを形成し；ここで、該複数のループの少なくとも２つのループがそれらの間に電気的接続を形成し、そしてここで、該複数のループの少なくとも一部分がマイクロ波エネルギーを送達するような形態である、マイクロ波アンテナアセンブリ。
【請求項２】
前記らせん状マイクロ波アンテナを支持する剛直性部材をさらに備え、ここで、該剛直性部材が、前記外側コンダクターの遠位部分を係合する、請求項１に記載のマイクロ波アンテナアセンブリ。
【請求項３】
前記剛直性部材がその中に管腔を規定し；そしてここで、前記らせん状マイクロ波アンテナの内側コンダクターの少なくとも一部分が、該剛直性部材の管腔内に配置される、請求項２に記載のマイクロ波アンテナアセンブリ。
【請求項４】
前記らせん状マイクロ波アンテナ部材の少なくとも１つのループが、前記剛直性部材の周縁に配置される、請求項３に記載のマイクロ波アンテナアセンブリ。
【請求項５】
組織を貫通し、かつ前記細長い冷却ジャケットの遠位端に取り付けられ、そして流体密なシールを形成するよう適合された鋭い先端部；および
細長い冷却ジャケットの遠位端に冷却流体を供給する少なくとも１つの流入チューブ、をさらに備える、請求項１〜４のいずれか１項に記載のマイクロ波アンテナアセンブリ。
【請求項６】
前記剛直性部材が、誘電性材料を含む、請求項２、３、４、または５のいずれか１項に記載のマイクロ波アンテナアセンブリ。
【請求項７】
前記外側コンダクター内に配置された内側コンダクターの一部分の横断面が、該外側コンダクターから遠位方向に延びる内側コンダクターの横断面とは異なる、請求項１〜６のいずれか１項に記載のマイクロ波アンテナアセンブリ。
【請求項８】
前記らせん状マイクロ波アンテナ部材の内側コンダクターが：
供給ライン伝導体部材；および
該供給ライン伝導性部材の遠位端に接続されるらせん状伝導性部材；をさらに備え、
ここで、該供給伝導性部材の実質的部分が前記外側コンダクター内に配置され、そして該らせん状伝導性部材の実質的部分が該外側コンダクターの遠位方向にある、請求項１〜７のいずれか１項に記載のマイクロ波アンテナアセンブリ。
【請求項９】
前記供給ライン伝導性部材の横断面が、前記らせん状伝導性部材の横断面とは異なる、請求項８に記載のマイクロ波アンテナアセンブリ。
【請求項１０】
前記細長い冷却ジャケットが、誘電性材料を含む、請求項１〜９のいずれか１項に記載のマイクロ波アンテナアセンブリ。
【請求項１１】
前記細長い冷却ジャケットがさらに：
近位ジャケット部分；および
該近位ジャケット部分と前記鋭い先端部との間に配置され、そして該近位ジャケット部分と該鋭い端部に取り付けられる遠位ジャケット部を備え；
ここで、前記らせん状マイクロ波アンテナ部材の複数の少なくとも２つのループが、前記細長い冷却ジャケットの遠位ジャケット部分内に配置される、請求項５に記載のマイクロ波アンテナアセンブリ。
【請求項１２】
前記遠位ジャケット部分が、誘電性材料を含む、請求項１１に記載のマイクロ波アンテナアセンブリ。
【請求項１３】
その外面に配置された潤滑性被覆をさらに備える、請求項１１または１２に記載のマイクロ波アンテナアセンブリ。
【請求項１４】
前記近位ジャケット部分が、伝導性材料を含む、請求項１１、１２または１３に記載のマイクロ波アンテナアセンブリ。
【請求項１５】
少なくとも１つの電気的接続が、組み立ての間にループを位置決めすること、組み立ての後にループを再位置決めすること、ハンダ付けすること、溶接すること、蝋付けすることならびに少なくとも１つのループを圧縮することおよび変形することの１つによってループを広げることのうちの１つによって形成される、請求項１〜１４のいずれか１項に記載のマイクロ波アンテナアセンブリ。
【請求項１６】
らせん状マイクロ波アンテナアセンブリであって：
以下を含む第１のアセンブリ：
管状外側コンダクターであって、それを通る長軸方向管腔を規定する管状外側コンダクター；および
該外側コンダクターの管腔の少なくとも一部分内に配置され、そしてその中の長軸方向管腔を規定する絶縁性部材；ならびに
以下を含む第２のアセンブリ：
らせん状ループ部分および供給ライン部分を形成する細長い伝導性部材；および
その中に管腔を規定する剛直性部材であって、該剛直性部材の管腔が該細長い導電性部材の少なくとも一部分を受容するよう適合されている剛直性部材を備え、
ここで、該細長い伝導性部材のらせん状ループ部分が、該剛直性部材の遠位部分の周縁上に配置され、そして該供給ライン部分の少なくとも一部分が、該剛直性部材から近位方向に延び；
ここで、該第２のアセンブリの近位部分が該第１のアセンブリの遠位部分を係合するように適合され、そしてここで、該細長い伝導性部材の供給ライン部分の少なくとも一部分が、該絶縁性部材の管腔内に配置される、マイクロ波アンテナアセンブリ。
【請求項１７】
前記細長い伝導性部材のらせん状ループ部分が複数のループを含み、そして該複数のループの少なくとも２つのループがそれらの間で電気的接続を形成する、請求項１６に記載のマイクロ波アンテナアセンブリ。
【請求項１８】
前記第１のアセンブリの外側コンダクターが、前記第２のアセンブリの剛直性部材を係合する、請求項１６または１７に記載のマイクロ波アンテナアセンブリ。
【請求項１９】
前記第２のアセンブリの近位部分が、前記第１のアセンブリの遠位部分に、プレスばめ係合、ねじ係合、テーパーロック係合および化学的係合の少なくとも１つによって係合される、請求項１６、１７、または１８に記載のマイクロ波アンテナアセンブリ。
【発明の詳細な説明】
【技術分野】
【０００１】
（背景）
（技術分野）
本開示は、一般に、医療／外科的切除（ａｂｌａｔｉｏｎ）、デバイス、アセンブリおよびそれらの使用の方法に関する。より詳細には、本開示は、組織の診断および処置のために組織中への直接挿入のための形態であるらせん状アンテナを備える冷却されるマイクロ波アンテナアセンブリおよびそれらを用いる方法に関する。
【背景技術】
【０００２】
癌のような疾患の処置においては、特定タイプの癌細胞が高められた温度（これは、健常細胞に通常有害な温度よりわずかにより低い温度である）で変性することが見出されている。これらタイプの処置は、一般に、高体温療法として知られ、代表的には、４１℃を超える温度まで疾患細胞を加熱するために電磁照射を利用し、その一方、不可逆的な細胞破壊が起こらないより低い温度で健常細胞を維持する。組織を加熱するために電磁照射を利用するその他の手順はまた、組織の切除および凝固を含む。例えば、月経過多症に対して実施される手順のような、このようなマイクロ波切除手順は、代表的には、標的とされた組織を切除および凝固するために行われ、それを変性または殺傷する。電磁照射療法を利用する多くの手順およびデバイスのタイプは、当該技術分野で公知である。このようなマイクロ波療法は、代表的には、前立腺、心臓、および肝臓のような組織および器官の処置で用いられる。
【０００３】
１つの非侵襲的手順は、一般に、マイクロ波エネルギーの使用による皮膚の下にある組織（例えば、腫瘍）の処置を含む。マイクロ波エネルギーは、皮膚を非侵襲的に貫通し、下にある組織に到達し得る。しかし、この非侵襲的手順は、健常組織の所望されない加熱を生じ得る。それ故、マイクロ波エネルギーの非侵襲的使用は、相当量の制御を必要とする。これは、一部、マイクロ波照射を付与するより直接的でかつ正確な方法が求められている理由である。
【０００４】
現在、使用においていくつかのタイプのマイクロ波プローブ、例えば、単極、双極、およびらせんが存在する。１つのタイプは単極アンテナプローブであり、これは、プローブの端部で剥き出た単一の細長いマイクロ波コンダクターからなる。このプローブは、しばしば誘電性スリーブによって取り囲まれている。一般に用いられる第２のタイプのマイクロ波プローブは双極アンテナであり、これは、内側コンダクターおよび外側コンダクターを有する同軸構築からなり、この内側コンダクターの部分および外側コンダクターの部分を分ける誘電体をもつ。一般に用いられる第３のタイプのマイクロ波プローブはらせん状アンテナである。らせん状アンテナは、代表的には、渦巻き、またはらせんでコイル状の単一の駆動される要素、または伝導性ワイヤを含む。単極および双極アンテナプローブでは、マイクロ波エネルギーは、上記コンダクターの軸からほぼ垂直に照射する。らせん状アンテナは、通常モードで照射し得、そこでは、照射パターンは、照射パターンが円形である軸モードで照射し得る、電気的に短い双極または単極またはらせん状アンテナのそれと類似している。
【発明の開示】
【発明が解決しようとする課題】
【０００５】
本発明は、組織の診断および処置のために組織中へ直接挿入するためのマイクロ波アンテナアセンブリを提供することを課題とする。
【課題を解決するための手段】
【０００６】
本発明は、上記課題を解決するために、例えば以下の項目を提供する。
【０００７】
（項目Ａ１）マイクロ波アンテナアセンブリであって：
近位端および遠位端およびそれらの間に規定される内部管腔を有する細長い冷却ジャケット；
その細長い冷却ジャケットの少なくとも一部分内に配置され、そして内側コンダクターおよび外側コンダクターを有するらせん状マイクロ波アンテナ部材；を備え、その内側コンダクターがその外側コンダクター内に配置され、ここで、その内側コンダクターの少なくとも一部分がその外側コンダクターから遠位方向に延び、そして複数のループを形成し；ここで、その複数のループの少なくとも２つのループがそれらの間に電気的接続を形成し、そしてここで、その複数のループの少なくとも一部分がマイクロ波エネルギーを送達するような形態である、マイクロ波アンテナアセンブリ。
【０００８】
（項目Ａ２）上記らせん状マイクロ波アンテナを支持する剛直性部材をさらに備え、ここで、その剛直性部材が、上記外側コンダクターの遠位部分を係合する、項目Ａ１に記載のマイクロ波アンテナアセンブリ。
【０００９】
（項目Ａ３）上記剛直性部材がその中に管腔を規定し；そしてここで、上記らせん状マイクロ波アンテナの内側コンダクターの少なくとも一部分が、その剛直性部材の管腔内に配置される、項目Ａ２に記載のマイクロ波アンテナアセンブリ。
【００１０】
（項目Ａ４）上記らせん状マイクロ波アンテナ部材の少なくとも１つのループが、上記剛直性部材の周縁に配置される、項目Ａ３に記載のマイクロ波アンテナアセンブリ。
【００１１】
（項目Ａ５）組織を貫通し、かつ上記細長い冷却ジャケットの遠位端に取り付けられ、そして流体密なシールを形成するよう適合された鋭い先端部；および
細長い冷却ジャケットの遠位端に冷却流体を供給する少なくとも１つの流入チューブ、をさらに備える、項目Ａ１〜４のいずれか１項に記載のマイクロ波アンテナアセンブリ。
【００１２】
（項目Ａ６）上記剛直性部材が、誘電性材料を含む、項目Ａ２、３、４、または５のいずれか１項に記載のマイクロ波アンテナアセンブリ。
【００１３】
（項目Ａ７）上記外側コンダクター内に配置された内側コンダクターの一部分の横断面が、その外側コンダクターから遠位方向に延びる内側コンダクターの横断面とは異なる、項目Ａ１〜６のいずれか１項に記載のマイクロ波アンテナアセンブリ。
【００１４】
（項目Ａ８）上記らせん状マイクロ波アンテナ部材の内側コンダクターが：
供給ライン伝導体部材；および
その供給ライン伝導性部材の遠位端に接続されるらせん状伝導性部材；をさらに備え、
ここで、その供給伝導性部材の実質的部分が上記外側コンダクター内に配置され、そしてそのらせん状伝導性部材の実質的部分がその外側コンダクターの遠位方向にある、項目Ａ１〜７のいずれか１項に記載のマイクロ波アンテナアセンブリ。
【００１５】
（項目Ａ９）上記供給ライン伝導性部材の横断面が、上記らせん状伝導性部材の横断面とは異なる、項目Ａ８に記載のマイクロ波アンテナアセンブリ。
【００１６】
（項目Ａ１０）上記細長い冷却ジャケットが、誘電性材料を含む、項目Ａ１〜９のいずれか１項に記載のマイクロ波アンテナアセンブリ。
【００１７】
（項目Ａ１１）上記細長い冷却ジャケットがさらに：
近位ジャケット部分；および
その近位ジャケット部分と上記鋭い先端部との間に配置され、そしてその近位ジャケット部分とその鋭い端部に取り付けられる遠位ジャケット部を備え；
ここで、上記らせん状マイクロ波アンテナ部材の複数の少なくとも２つのループが、上記細長い冷却ジャケットの遠位ジャケット部分内に配置される、項目Ａ５に記載のマイクロ波アンテナアセンブリ。
【００１８】
（項目Ａ１２）上記遠位ジャケット部分が、誘電性材料を含む、項目Ａ１１に記載のマイクロ波アンテナアセンブリ。
【００１９】
（項目Ａ１３）その外面に配置された潤滑性被覆をさらに備える、項目Ａ１１または１２に記載のマイクロ波アンテナアセンブリ。
【００２０】
（項目Ａ１４）上記近位ジャケット部分が、伝導性材料を含む、項目Ａ１１、１２または１３に記載のマイクロ波アンテナアセンブリ。
【００２１】
（項目Ａ１５）少なくとも１つの電気的接続が、組み立ての間にループを位置決めすること、組み立ての後にループを再位置決めすること、ハンダ付けすること、溶接すること、蝋付けすることならびに少なくとも１つのループを圧縮することおよび変形することの１つによってループを広げることのうちの１つによって形成される、項目Ａ１〜１４のいずれか１項に記載のマイクロ波アンテナアセンブリ。
【００２２】
（項目Ａ１６）らせん状マイクロ波アンテナアセンブリであって：
以下を含む第１のアセンブリ：
管状外側コンダクターであって、それを通る長軸方向管腔を規定する管状外側コンダクター；および
その外側コンダクターの管腔の少なくとも一部分内に配置され、そしてその中の長軸方向管腔を規定する絶縁性部材；ならびに
以下を含む第２のアセンブリ：
らせん状ループ部分および供給ライン部分を形成する細長い伝導性部材；および
その中に管腔を規定する剛直性部材であって、その剛直性部材の管腔がその細長い導電性部材の少なくとも一部分を受容するよう適合されている剛直性部材を備え、
ここで、その細長い伝導性部材のらせん状ループ部分が、その剛直性部材の遠位部分の周縁上に配置され、そしてその供給ライン部分の少なくとも一部分が、その剛直性部材から近位方向に延び；
ここで、その第２のアセンブリの近位部分がその第１のアセンブリの遠位部分を係合するように適合され、そしてここで、その細長い伝導性部材の供給ライン部分の少なくとも一部分が、その絶縁性部材の管腔内に配置される、マイクロ波アンテナアセンブリ。
【００２３】
（項目Ａ１７）上記細長い伝導性部材のらせん状ループ部分が複数のループを含み、そしてその複数のループの少なくとも２つのループがそれらの間で電気的接続を形成する、項目Ａ１６に記載のマイクロ波アンテナアセンブリ。
【００２４】
（項目Ａ１８）上記第１のアセンブリの外側コンダクターが、上記第２のアセンブリの剛直性部材を係合する、項目Ａ１６または１７に記載のマイクロ波アンテナアセンブリ。
【００２５】
（項目Ａ１９）上記第２のアセンブリの近位部分が、上記第１のアセンブリの遠位部分に、プレスばめ係合、ねじ係合、テーパーロック係合および化学的係合の少なくとも１つによって係合される、項目Ａ１６、１７、または１８に記載のマイクロ波アンテナアセンブリ。
【００２６】
本発明はさらに、以下の項目も提供する。
【００２７】
（項目Ｂ１）マイクロ波アンテナアセンブリであって：
近位端および遠位端およびそれらの間に規定される内部管腔を有する細長い冷却ジャケット；
その細長い冷却ジャケットの少なくとも一部分内に配置され、そして内側コンダクターおよび外側コンダクターを有するらせん状マイクロ波アンテナ部材；を備え、その内側コンダクターがその外側コンダクター内に配置され、ここで、その内側コンダクターの少なくとも一部分がその外側コンダクターから遠位方向に延び、そして複数のループを形成し；ここで、その複数のループの少なくとも２つのループがそれらの間に電気的接続を形成し、そしてここで、その複数のループの少なくとも一部分がマイクロ波エネルギーを送達するような形態である、マイクロ波アンテナアセンブリ。
【００２８】
（項目Ｂ２）上記らせん状マイクロ波アンテナを支持する剛直性部材をさらに備え、ここで、その剛直性部材が、上記外側コンダクターの遠位部分を係合する、項目Ｂ１に記載のマイクロ波アンテナアセンブリ。
【００２９】
（項目Ｂ３）上記剛直性部材がその中に管腔を規定し；そしてここで、上記らせん状マイクロ波アンテナの内側コンダクターの少なくとも一部分が、その剛直性部材の管腔内に配置される、項目Ｂ２に記載のマイクロ波アンテナアセンブリ。
【００３０】
（項目Ｂ４）上記らせん状マイクロ波アンテナ部材の少なくとも１つのループが、上記剛直性部材の周縁に配置される、項目Ｂ３に記載のマイクロ波アンテナアセンブリ。
【００３１】
（項目Ｂ５）組織を貫通し、かつ上記細長い冷却ジャケットの遠位端に取り付けられ、そして流体密なシールを形成するよう適合された鋭い先端部；および
細長い冷却ジャケットの遠位端に冷却流体を供給する少なくとも１つの流入チューブ、をさらに備える、項目Ｂ１に記載のマイクロ波アンテナアセンブリ。
【００３２】
（項目Ｂ６）上記剛直性部材が、誘電性材料を含む、項目Ｂ２に記載のマイクロ波アンテナアセンブリ。
【００３３】
（項目Ｂ７）上記外側コンダクター内に配置された内側コンダクターの一部分の横断面が、その外側コンダクターから遠位方向に延びる内側コンダクターの横断面とは異なる、項目Ｂ２に記載のマイクロ波アンテナアセンブリ。
【００３４】
（項目Ｂ８）上記らせん状マイクロ波アンテナ部材の内側コンダクターが：
供給ライン伝導体部材；および
その供給ライン伝導性部材の遠位端に接続されるらせん状伝導性部材；をさらに備え、
ここで、その供給ライン伝導性部材の実質的部分が上記外側コンダクター内に配置され、そしてそのらせん状伝導性部材の実質的部分がその外側コンダクターの遠位方向にある、項目Ｂ２に記載のマイクロ波アンテナアセンブリ。
【００３５】
（項目Ｂ９）上記供給ライン伝導性部材の横断面が、上記らせん状伝導性部材の横断面とは異なる、項目Ｂ８に記載のマイクロ波アンテナアセンブリ。
【００３６】
（項目Ｂ１０）上記細長い冷却ジャケットが、誘電性材料を含む、項目Ｂ１に記載のマイクロ波アンテナアセンブリ。
【００３７】
（項目Ｂ１１）上記細長い冷却ジャケットがさらに：
近位ジャケット部分；および
その近位ジャケット部分と上記鋭い先端部との間に配置され、そしてその近位ジャケット部分とその鋭い先端部に取り付けられる遠位ジャケット部を備え；
ここで、上記らせん状マイクロ波アンテナ部材の複数の少なくとも２つのループが、上記細長い冷却ジャケットの遠位ジャケット部分内に配置される、項目Ｂ５に記載のマイクロ波アンテナアセンブリ。
【００３８】
（項目Ｂ１２）上記遠位ジャケット部分が、誘電性材料を含む、項目Ｂ１１に記載のマイクロ波アンテナアセンブリ。
【００３９】
（項目Ｂ１３）その外面に配置された潤滑性被覆をさらに備える、項目Ｂ１２に記載のマイクロ波アンテナアセンブリ。
【００４０】
（項目Ｂ１４）上記近位ジャケット部分が、伝導性材料を含む、項目Ｂ１２に記載のマイクロ波アンテナアセンブリ。
【００４１】
（項目Ｂ１５）らせん状マイクロ波アンテナアセンブリであって：
以下を含む第１のアセンブリ：
管状外側コンダクターであって、それを通る長軸方向管腔を規定する管状外側コンダクター；および
その外側コンダクターの管腔の少なくとも一部分内に配置され、そしてその中の長軸方向管腔を規定する絶縁性部材；ならびに
以下を含む第２のアセンブリ：
らせん状ループ部分および供給ライン部分を形成する細長い伝導性部材；および
その中に管腔を規定する剛直性部材であって、その剛直性部材の管腔がその細長い導電性部材の少なくとも一部分を受容するよう適合されている剛直性部材を備え、
ここで、その細長い伝導性部材のらせん状ループ部分が、その剛直性部材の遠位部分の周縁上に配置され、そしてその供給ライン部分の少なくとも一部分が、その剛直性部材から近位方向に延び；
ここで、その第２のアセンブリの近位部分がその第１のアセンブリの遠位部分を係合するように適合され、そしてここで、その細長い伝導性部材の供給ライン部分の少なくとも一部分が、その絶縁性部材の管腔内に配置される、マイクロ波アンテナアセンブリ。
【００４２】
（項目Ｂ１６）上記細長い伝導性部材のらせん状ループ部分が複数のループを含み、そしてその複数のループの少なくとも２つのループがそれらの間で電気的接続を形成する、項目Ｂ１５に記載のマイクロ波アンテナアセンブリ。
【００４３】
（項目Ｂ１７）上記第１のアセンブリの外側コンダクターが、上記第２のアセンブリの剛直性部材を係合する、項目Ｂ１５に記載のマイクロ波アンテナアセンブリ。
【００４４】
（項目Ｂ１８）上記第２のアセンブリの近位部分が、上記第１のアセンブリの遠位部分に、プレスばめ係合、ねじ係合、テーパーロック係合および化学的係合の少なくとも１つによって係合される、項目Ｂ１７に記載のマイクロ波アンテナアセンブリ。
【００４５】
（項目Ｂ１９）マイクロ波アンテナアセンブリであって：
マイクロ波エネルギーを供給するような形態の供給ライン；
その供給ラインの遠位端に連結されるらせん状マイクロ波アンテナであって、マイクロ波エルネギーを伝達するような形態のらせん状マイクロ波アンテナ；および
そのらせん状マイクロ波アンテナを支持するための剛直性部材を備え、ここで、その剛直性部材の少なくとも一部分がその供給ラインの少なくとも一部分を係合し、そしてここで、その供給ラインの少なくとも一部分がその剛直性部材内に配置される、マイクロ波アンテナアセンブリ。
【００４６】
（項目Ｂ２０）上記らせん状マイクロ波アンテナが複数のループを含み、そしてその複数のループの少なくとも２つのループがそれらの間に電気的接続を形成する、項目Ｂ１９に記載のマイクロ波アンテナアセンブリ。
【００４７】
（項目Ｂ２１）上記電気的接続の少なくとも１つが、組み立ての間にループを位置決めすること、組み立ての後にループを再位置決めすること、少なくとも１つのループを圧縮することおよび変形することの１つによってループをハンダ付けすること、溶接すること、蝋付けすること、および広げることのうちの１つによって形成される、項目Ｂ２０に記載のマイクロ波アンテナアセンブリ。
【００４８】
本開示は、一般に、例えば組織切除適用におけるマイクロ波アンテナアセンブリおよびそれらの使用の方法に関する。より詳細には、本開示は、らせん状アンテナを含む冷却されるマイクロ波アンテナアセンブリに関する。このマイクロ波アンテナアセンブリは、組織の診断および処置のためにさらなる導入具またはカテーテルの必要性なくして組織中に直接挿入するために構造的に頑丈であり得る。
【００４９】
本開示のマイクロ波アンテナアセンブリは、近位端および遠位端およびそれらの間に規定される内部管腔を有する細長い冷却ジャケット、および細長い冷却ジャケットの少なくとも一部分内に配置されるらせん状マイクロ波アンテナ部材を含む。らせん状マイクロ波アンテナは、内側コンダクターおよび外側コンダクターを含み、この内側コンダクターは外側コンダクター内に配置される。この内側コンダクターの少なくとも一部分は、上記外側コンダクターから遠位方向に延び、そして複数のループを形成し；ここで、これら複数のループの少なくとも２つのループは、それらの間に電気的接続を形成する。これら複数のループの少なくとも一部分は、マイクロ波エネルギーを送達するような形態である。
【００５０】
このマイクロ波アンテナアセンブリは、上記らせん状マイクロ波アンテナを支持する剛直性部材をさらに備え得、ここで、この剛直性部材は、上記外側コンダクターの遠位部分を係合する。この剛直性部材はその中に管腔を規定し得、上記らせん状マイクロ波アンテナの内側コンダクターの少なくと一部分は、上記剛直性部材の管腔内に配置され得る。上記らせん状マイクロ波アンテナ部材の少なくとも１つのループは、上記剛直性部材の周縁に配置され得る。上記外側コンダクター内に配置される内側コンダクターの一部分の横断面は、上記外側コンダクターから遠位方向に延びる内側コンダクターの横断面とは異なり得る。上記剛直性部材は、誘電性材料から形成され得る。
【００５１】
上記マイクロ波アンテナアセンブリは、組織を貫通し、かつ上記細長い冷却ジャケットの遠位端に取り付けられ、そしてそれと流体密なシールを形成するよう適合された鋭い先端部をさらに含み得る。マイクロ波アンテナアセンブリは、上記細長い冷却ジャケットの遠位端に冷却流体を供給するための少なくとも１つの流入チューブ含み得る。
【００５２】
上記マイクロ波アンテナアセンブリの内側コンダクターは、供給ライン伝導性部材、およびらせん状伝導性部材をさらに含み得る。この供給ライン伝導性部材の遠位端は、上記らせん状部材の近位端に接続する。この供給ライン伝導性部材の実質的部分は、この外側コンダクターの遠位方向のらせん状伝導性部材の実質的部分とともに、外側コンダクター内に配置され得る。この供給ライン伝導性部材の横断面は、上記らせん状伝導性部材の横断面とは異なり得る。
【００５３】
上記マイクロ波アンテナアセンブリの細長い冷却ジャケットは、誘電性材料を含み得る。あるいは、この細長い冷却ジャケットは、近位ジャケット部分および遠位ジャケット部分を含み得る。この遠位ジャケット部分は、上記近位ジャケット部分と上記鋭い先端部との間に配置され、そして近位ジャケット部分と鋭い先端部に取り付けられる。この遠位ジャケット部分は誘電性材料から形成され得、そして上記近位ジャケット部分は伝導性材料から形成され得る。複数の上記少なくとも２つのらせん状マイクロ波アンテナ部材のループは、上記細長い冷却ジャケットの遠位ジャケット部分内に配置され得る。上記マイクロ波アンテナアセンブリは、その外面上に配置された被覆をさらに含み得、そして組織がそれに粘着することを防ぐような形態である。
【００５４】
本開示のなお別の実施形態では、らせん状マイクロ波アンテナは、第１のアセンブリおよび第２のアセンブリを含む。この第１のアセンブリは、それを通る長軸方向管腔を規定する管状の外側コンダクター、およびこの外側コンダクターの少なくとも一部分内に配置され、そしてその中に長軸方向管腔を規定する絶縁性部材を含む。上記第２のアセンブリは、らせん状ループ部分および供給ライン部分およびその中の管腔を規定する剛直性部材を形成する細長い伝導性部材を含む。この剛直性部材の管腔は、上記細長い伝導性部材の少なくとも一部分を受容するように適合され、ここで、上記細長い伝導性部材のらせん状ループ部分は、上記剛直性部材の遠位部分の周縁上に配置され、そして上記供給ライン部分の少なくとも一部分は、上記剛直性部材の近位方向に延びる。上記第２のアセンブリの近位部分は、上記第１のアセンブリの遠位部分を係合するように適合され、該細長い伝導性部材の供給ライン部分の少なくとも一部分は、上記絶縁性部材の管腔内に配置される。
【００５５】
上記第１のアセンブリの外側コンダクターは、上記第２のアセンブリの剛直性部材を係合し得る。係合は、プレスばめ係合、ねじ係合、テーパーロック係合および化学的係合の少なくとも１つによって形成され得る。
【００５６】
本開示のなお別の実施形態は、マイクロ波エネルギーを供給するような形態の供給ライン、この供給ラインの遠位端に接続されたらせん状マイクロ波アンテナ、マイクロ波エネルギーを伝達するような形態であるらせん状マイクロ波アンテナ；およびらせん状マイクロ波アンテナを支持する剛直性部材を含み、ここで、この剛直性部材の少なくとも一部分は上記供給ラインを係合し、そしてその中に部分的に配置される。
【００５７】
本開示のなお別の実施形態では、らせん状アンテナ部材を形成する方法は、マイクロ波アンテナ供給ラインの内側コンダクターを除去する工程、マイクロ波アンテナ供給ラインの遠位部分から絶縁の部分を除去する工程、供給ライン部分およびらせん状部分を含むらせん状マイクロ波アンテナを形成する工程、らせん状マイクロ波アンテナを受容するような形態の剛直性部材を提供する工程、このらせん状マイクロ波アンテナおよび上記剛直性部材を連結する工程を含み、ここで、上記らせん状マイクロ波アンテナのらせん部分は、上記剛直性部材の少なくとも一部分を実質的に取り囲み、そして上記供給ライン部分の少なくとも一部分は、上記剛直性部材から近位方向に延び、そして上記マイクロ波アンテナ供給ラインの遠位端を上記剛直性部材の近位端と連結し、ここで、上記らせん状アンテナ部材の少なくとも一部分は、上記剛直性部材中に規定される管腔内に配置され、そして上記らせん状アンテナ部材の供給ライン部分の少なく一部分は、上記マイクロ波アンテナ内に配置される。上記供給ライン部分は、第１の細長い伝導性部材から形成され得、そして上記らせん状マイクロ波アンテナのらせん部分は、第２の細長い伝導性部材から形成される。
【発明の効果】
【００５８】
本発明により、組織の診断および処置のために組織中へ直接挿入するためのマイクロ波アンテナアセンブリが提供される。
【発明を実施するための最良の形態】
【００５９】
本明細書で開示されるマイクロ波アンテナアセンブリの実施形態を、ここで、描写する図面を参照して詳細に説明し、ここで、同様の参照番号は、類似または同一の要素を識別する。本明細書で用いられるとき、そして伝統的であるように、用語「遠位」は使用者から最も遠い部分をいい、そして用語「近位」は、使用者に最も近い部分をいう。さらに、「上」、「下」、「前方」、「後方」などのような用語は、図面の配向または構成要素の方向をいい、そして単に説明の便利さのために用いられる。
【００６０】
患者における組織の疾患領域の侵襲的処置の間に、この組織の疾患領域に対するマイクロ波アンテナアセンブリのような電気外科用エネルギー送達装置の挿入および配置は、成功する処置のために重要である。マイクロ波アンテナによって生成される切除領域のサイズおよび寸法は、とりわけ、マイクロ波アンテナのタイプに依存する。臨床医は、それ故、標的組織のサイズおよび寸法より大きい切除領域を生成し得るマイクロ波アンテナを選択すべきであり、そしてこのマイクロ波アンテナをこのマイクロ波アンテナによって生成される切除領域がこの標的組織を含むように挿入する。
【００６１】
双極および単極マイクロ波アンテナは、代表的には、横長または涙形状の切除領域を形成する。本開示のらせん状アンテナは、球形に近い切除領域を生成し得、その一方、異なる幾何学的形状をもつ本開示のその他のらせん状アンテナは、双極または単極アンテナによって生成されるようなのと形態が類似の切除領域を生成し得、それによって、臨床医が、各個々の標的組織領域のために適切な切除領域を生成するマイクロ波アンテナを選択することを可能にする。
【００６２】
（冷却されるらせん状アンテナ）
ここで、図１〜２を参照して、本開示の実施形態によるマイクロ波アンテナアセンブリは、１０として示される。このマイクロ波アンテナアンブリ１０は、アンテナ部分１２およびアンテナ部分１２に作動可能に接続され、そしてそれを支持する供給ライン部分１４を含む。アンテナ部分１２は、らせん状アンテナ部材１６、アンテナ部材１６の外部を取り囲むアンテナ絶縁１８、および鋭い遠位先端部２０を含む。供給ライン部分１４は、アンテナ部材１６に電気的に接続される内側コンダクター２４、および内側コンダクター２４の少なくとも一部分を重層し、そして供給ライン２５によってそれから少なくとも部分的に分離される外側コンダクター２６を含む、同軸供給ライン２２を含む。
【００６３】
マイクロ波アンテナアセンブリ１０は、少なくとも供給ライン１４のセグメントおよび少なくともアンテナ部分１２のセグメントを取り囲む冷却ジャケット２８を含む。冷却ジャケット２８は、鋭い先端部２０に接触領域３２で接続され、そして冷却チャンバー３０（すなわち、供給ライン部分１４の外面および／またはアンテナ部分１２と、冷却ジャケット２８の内面との間で規定されるスペース）の周りに流体密シールを形成する。接触領域３２での流体密シールは、インターフェース適合、ねじ接続部、種々の形状のスリップばめ接続、接着、ハンダ付け、クリンプ留め、または２つの部材を接続するためのその他の適切な方法によって形成され得る。
【００６４】
冷却ジャケット２８は、例えば、ポリイミドまたは類似の誘電性材料のような絶縁性材料から作製され、アンテナ部材１６の周りでマイクロ波照射をシールドすることを避ける。冷却ジャケット２８の外面はまた適切な潤滑性物質で被覆され得、組織中またはそれを通る冷却ジャケット２８の移動を支援し、ならびにその外面に組織が粘着することを防ぐ際に支援する。この被覆自体は、適切な材料、例えば、ポリマーなどから作製され得る。
【００６５】
マイクロ波アンテナアセンブリ１０は、１つ以上の流入チューブ３６を含み、冷却流体を冷却チャンバー３０の遠位部分３８に供給する。流入チューブ３６は、薄壁ポリイミドチューブを含み得る。作動において、ポンプ（明りょうには示されていない）は冷却流体（例えば、生理食塩水、水またはその他の適切な冷却流体）を１つ以上の流入チューブ３６に供給し、これは、次いで、冷却流体を冷却チャンバー３０の遠位部分３８に送達する。流入チューブ３６は、ＵＶ接着剤またはその他の適切な接着剤および熱収縮管材を用いることにより、またはその他の適切な方法により、冷却ジャケット２８に沿ってその場に保持され得る。
【００６６】
マイクロ波アンテナアセンブリ１０の遠位端から離れてその近位端まで冷却チャンバー３０を通る冷却流体流れは、エネルギーを吸収し、そして冷却流体戻りまたはチューブ（明りょうには示されてはいない）を通じて存在する。冷却チャンバー３０は冷却流体を供給ライン２２に供給し、それ故、シャフトの焦げおよびアンテナの周りの切除領域の長さを制限し、組織の焦げを制限し、電源からアンテナへのエネルギー移動を最大にし、そして切除領域のより大きな半径を可能にする。
【００６７】
冷却ジャケット２８の外径は、上記マイクロ波アンテナアセンブリ１０の断面サイズを規定する。この冷却ジャケット２８の直径は、マイクロ波アンテナアセンブリ１０を用いて実施される手順の侵襲性を制限するに十分小さくあるべきである。上記らせん状アンテナ部材の直径は、冷却ジャケット２８の内側に適合するに十分小さくなければならず、そしてそれらの周りの適切な冷却を可能にする。らせん状アンテナ部材１６は約０．０３０インチと約０．０６０インチとの間のらせん直径を有し得、これは、冷却ジャケット２８の直径が約０．０８０インチと約０．０９５インチとの間であることを可能にする。
【００６８】
供給ライン２２の近位端は、マイクロ波アンテナアセンブリ１０を電気外科用電力生成供給源（明りょうには示されていない）、例えば、電源またはその他の適切な高周波エネルギーおよび／またはマイクロ波エネルギーの供給源に接続し、そして電気外科用エネルギーをマイクロ波アンテナアセンブリ１０のアンテナ部材１６に供給する。作動において、組織中への初期挿入の間に、マイクロ波アンテナアセンブリ１０は、鋭い遠位先端部２０の機械的幾何学的形状により、そして必要であれば、組織へのエネルギー、例えば、電気的、機械的または電気−機械的エネルギーの付与によって、組織を通る経路を規定する。
【００６９】
供給ライン２２は、適切な可撓性、半剛直性または剛直性のマイクロ波伝導性ケーブルから形成され得、そして電気外科用電力生成供給源に直接接続し得る。あるいは、供給ライン２２は、電気外科用エネルギーを伝導し得、そして電気ケーブル（示されてはいない）を経由して電気外科用電力生成供給源（示されてはいない）に接続するような形態であるコネクター（示されていない）に接続し得る。
【００７０】
供給ライン絶縁２５は、内側コンダクター２４と外側コンダクター２６との間に配置され得、それらの間の絶縁を提供する。供給ライン絶縁２５は、任意の適切な誘電性または低損失材料であり得、例えば、低密度、超低密度ＰＴＦＥ、または空気を含む等価な材料である。本明細書で以下に記載されるように、供給ライン絶縁２５の少なくとも一部分は、除去され、そして／またはアンテナ絶縁１８の一部分または供給ライン２２および／またはアンテナ部材１６を補強または強化するその他の適切な部材で置換され得る。
【００７１】
内側コンダクター２４、外側コンダクター２６および／またはアンテナ部材１６は、制限されないで、銅、金、銀または類似の伝導度値を有するその他の伝導性金属を含む適切な伝導性材料から形成され得る。あるいは、内側コンダクター２４、外側コンダクター２６および／またはアンテナ部材１６はステンレス鋼から構築され得るか、またはその他の材料、例えば、金また銀のようなその他の伝導性材料でメッキされ得、それらの個々の性質を改善し、例えば、伝導度を改善し、エネルギー損失を減少するなどをする。
【００７２】
本明細書で以下に記載されるように、内側コンダクター２４は取り除かれ得るか、またはその上もしくはその遠位端の周りに配置されたアンテナ部材１６を有する適切な内側コンダクター（示されてはいない）で置換され得る。
【００７３】
アンテナ部材１６は、らせん状形態に成形された細長い伝導性材料から形成され得る。アンテナ部材１６は、供給ライン部分１４の遠位方向にアンテナ部分１２中に延びる内側コンダクター２４の一部から形成され得る。あるいは、アンテナ部材１６は、別個の細長い伝導性部材から形成され得、そして内側コンダクター２４、外側コンダクター２６または両方に、ハンダ付け、クリンプ留めまたは２つの細長いコンダクターを取り付けるために用いられるその他の適切な方法のような適切な取り付け方法を用いて取り付けられる。
【００７４】
アンテナ部材１６の横断面プロフィールは、内側コンダクター２４の横断面プロフィールとは異なり得る。例えば、らせん状アンテナ２６の横断面プロフィールは、らせん形状の形成を容易にするように選択され得、その一方、内側コンダクター２４の横断面プロフィールは実質的に円形であり得る。アンテナ部材１６の横断面プロフィールは、少なくとも１つの部分的に平坦な面を有する断面プロフィールを含み得る。この少なくとも１つの部分的に平坦な面は、らせん形状の形成において機械的に支援し得る。あるいは、この少なくとも１つの部分的に平坦な面は、らせん状アンテナ部材１６の隣接するループのための接触面を提供し得、互いとの接触を行う。
【００７５】
このアンテナ部材１６の横断面プロフィール、形状および寸法は、上記マイクロ波アンテナの作動性質に影響し得、そしてこのマイクロ波アンテナのエネルギーを伝導する能力に影響する。
【００７６】
アンテナ部材１６の横断面プロフィールは、アンテナ部材１６の形成の間に改変され得る。例えば、アンテナ部材１６の形成の前に、アンテナ部材１６を形成する材料の横断面形状は、第１の横断面プロフィール（例えば、円形または矩形）を有し得る。らせん状アンテナ１６の形成に際し、または形成後のらせん状アンテナ１６の圧縮に際し、この材料の第１の横断面プロフィールは、第２の横断面プロフィールに変化し得る。
【００７７】
アンテナ絶縁１８の層（例えば、０．００２５インチ〜０．００５インチのＰＥＴ、ＰＴＦＥまたは類似の材料）は、らせん状アンテナ部材１６の周りに配置され、アンテナ部材１６を冷却流体から完全に隔離する。アンテナ絶縁１８の厚みおよびタイプはまた、組織に対し、アンテナ部材１６のインピーダンスが有効に一致するように選択され得る。例えば、アンテナ部材１６を接着剤、エポキシまたは類似の材料で取り囲むような、冷却水からアンテナ部材１６を絶縁するその他の手段が用いられ得る。
【００７８】
らせん状アンテナ部材１６を形成する少なくとも２つのループが、１つの接触点で互いと電気接触しており、それによってループの接触領域１６ａを形成する。図２に示されるように、このループ接触領域１１６ａ中の２つ以上のループ間の接触は、これらのらせんのループを互いに対して緊密に近接して単に包むことにより達成され得るか、またはこれらループは、１つ以上のループ間で接触を生成するように圧縮され得る。種々の横断面プロフィールがまた、１つ以上のループ間の接触を達成するように選択され得る。らせん状アンテナ部材１６、１１６を形成する細長い材料は、１つ以上の平坦な面を有し得、複数のらせん状ループ間の電気的接触面を増加する。ループ接触領域１６ａ、１１６ａのらせん状アンテナ部材１６、１１６に沿った軸方向位置は変動し得る。例えば、図１のループ接触領域は、らせん状アンテナ部材１６の中央または遠位部分に向かって位置され得、そして図２のループ接触領域１１６ａは、らせん状アンテナ部材１１６の中央に向かって位置される。ループ接触領域は、本明細書内に含まれるその他の実施形態で示されるように、らせん状アンテナ部材上で種々の軸方向位置に位置され得る。
【００７９】
本明細書内の図は種々の実施形態の例示であり、そして制限的であると解釈されるべきではない。例えば、図１は、６つのらせん状ループおよび２つのループを含むループ接触領域１６ａをもつらせん状アンテナ部材１６を示し、そして図２は、１１のらせん状ループおよび４つのループを含むループ接触領域１１６ａをもつらせん状アンテナ部材１１６を示す。このらせん状アンテナ中のループの実際の数、およびループ接触領域中のループの実際の数は、らせん状アンテナの選択された性質に基づき任意の数のループを含み得る。これらの選択された性質は、電源周波数、必要な切除サイズ、必要な切除寸法およびマイクロ波アセンブリ寸法を含み得る。ループ間の接触は、例えば、単一点、単一の接点または弧状長さに沿った複数の点のような、任意の適切な接触を含む接触であり得る。
【００８０】
らせん状アンテナ部材１６の複数の巻きまたはループは、軸方向に圧縮され得、少なくとも１つ以上のらせん状ループが互いとの電気的接触をなすことを可能にする。このらせん状アンテナ部材１６を形成する材料の横断面プロフィールは、その長さに沿って変動し得、らせん状アンテナ部材１６の性質に影響し、そしてこのらせん状アンテナ部材１６を標的組織に適切に一致させる。
【００８１】
ここで図２を参照して、本開示に従うマイクロ波アンテナアセンブリの別の実施形態が１００として指定される。マイクロ波アンテナアセンブリ１００は、マイクロ波アンテナアセンブリ１０と実質的に類似し、そしてそれ故、本明細書では、構築および作動における差異を識別するために必要な程度までのみを記載する。マイクロ波アンテナアセンブリ１００は、シャフト冷却ジャケット１２８およびアンテナ冷却ジャケット１２９を含む。アンテナ冷却ジャケット１２９の遠位端は、接触領域１３２で鋭い遠位先端部１２０と流体密なシールを形成する。アンテナ冷却ジャケット１２９の近位端は、接触領域１３３でシャフト冷却ジャケット１２８と流体密なシールを形成する。これらの接触領域１３２、１３３における流体密シールは、インターフェース適合、ねじ接続、種々の形状のスリップ適合接続、接着剤、ハンダ付け、クリンプ留め、または２つの部材を接続かつシールするその他の適切な方法により形成され得る。
【００８２】
上記で陳述されたように、図２のループ接触領域１１６ａは、らせん状アンテナ部材１１６の中央近傍に位置される。ループ接触領域１１６ａ中の隣接するループ間のピッチ、または距離は、このループ接触領域１１６ａの外側のピッチとは異なる。
【００８３】
シャフト冷却ジャケット１２８、アンテナ冷却ジャケット１２９および鋭い遠位先端部は、流体密シールを形成し、少なくともアンテナ部材１６の周りに冷却チャンバー１３０を規定する。すくなくとも１つの流入チューブ１３６は、冷却チャンバー１３０の遠位部分１３８に冷却流体を供給する。
【００８４】
アンテナ冷却ジャケット１２９は、例えば、ポリイミドまたは類似の誘電性材料のような絶縁性材料から形成され、アンテナ部材１１６の周りでマイクロ波照射をシールドすることを避ける。アンテナ部材１１６を取り囲まないシャフト冷却ジャケット１２８は、絶縁性性質を有する必要はなく、そして例えば、ステンレス鋼ハイポチューブ、その他の金属またはプラスチックチューブのような適切な伝導性または非伝導性材料から形成され得る。冷却ジャケット１２８、１２９について同じ外径を維持することが望ましく、デバイスの外面に沿った段を避ける。
【００８５】
冷却ジャケット１２８、１２９の外面はまた、被覆され得る。この被覆は適切な潤滑性物質であり、組織中の冷却ジャケットの移動を支援し、そして組織がその外面に粘着することを防ぐことで支援する。この被覆自体は、例えば、ポリマーなどの適切な従来材料から作製され得る。
【００８６】
（らせん状アンテナの幾何学的形状）
本開示のマイクロ波アンテナアセンブリは、らせん状マイクロ波アンテナを含み、組織中に損傷を生成する。図３に示されるように、供給ライン１２２は、絶縁１２５によって分離された外側コンダクター１２６および内側コンダクター１２４を含む。らせん状アンテナ部材１１６は、供給ライン１２２から遠位方向に延び、そして複数の曲がり目、ループまたは巻きを含むらせん状または渦巻き状幾何学的形態を形成し、各曲がり目、ループまたは巻きは、ピッチ「Ｓ」、直径「Ｄ」、および長さ「Ｌ」だけ間隔を置かれる。電気的接触にある２つのループ間のピッチ「Ｓ」は、ゼロにほぼ等しい。アンテナ部材１１６は、図３に示されるように、外側コンダクター１２６を超えて遠位方向に延びる内側コンダクター１２４の一部分であり得る。あるいは、らせん状アンテナ部材１１６は、本明細書で以下に示されるように、内側コンダクター１２４、外側コンダクター１２６またはその両方を接続する別個の細長い部材であり得る。
【００８７】
本明細書中のいくつかの実施形態では、らせん状アンテナ部材１１６によって送達されるエネルギーおよび生成される磁場は、制限されないで、その直径「Ｄ」、長さ「Ｌ」およびピッチ「Ｓ」を含むいくつかの因子に依存している。このらせん状アンテナ部材１１６は、「λ」の周波数波長でマイクロ波エネルギーを照射する。「Ｄ／λ」が比較的小さいとき、このらせん状アンテナ部材１１６は通常モードで作動し、そしてこのらせん状アンテナ部材１１６によって生成されるエネルギー場は単極アンテナに似ている。
【００８８】
らせん状アンテナ部材１１６の最適長さ「Ｌ」は、直径「Ｄ」に依存するが、通常、約０．０４インチの直径「Ｄ」に対して約０．４インチ〜０．６インチの長さ「Ｌ」を有するように選択され得る。
【００８９】
らせん状アンテナ部材１１６の幾何学的形状を変動することにより、このらせん状アンテナ部材１１６は、一方向性または軸方向モードで作動し得る。らせん状アンテナ部材１１６は、「（ｐＤ）／λ」の範囲が約０．７５と１．３３との間である場合、一方向性または軸方向モードで作動し得る。間隙性適用における、９１５Ｍｈｚで、かつ目的の直径「Ｄ」で、「Ｄ／λ」は比較的小さい。結果として、エルネギー照射は単極に類似し、例えば、上記らせんの長軸方向軸に垂直である。
【００９０】
さらに、本明細書内に記載されるいくつかの実施形態では、上記らせん状アンテナ部材１１６は、上記に記載のようなループ接触領域１１６ａを含み得る。このらせん状アンテナ部材１１６によって送達されるエネルギーおよび生成される磁場は、ループ接触領域１１６ａの少なくとも１つの特徴に依存し得る。例えば、送達されるエネルギーおよび生成される磁場は：ループ接触領域１１６ａの位置、このループ接触領域１１６ａ内のループの数および／またはピッチ、ループ間の接触の質および／または量、ループ接触領域１１６ａ内のループの断面積またはこれらの任意の組み合わせに依存して変化し得る。
【００９１】
種々の方法が、ループ接触領域１１６ａを生成するために用いられ得る。２つ以上のループ間の接触は、互いに緊密に近接する２つ以上のループの位置決めに起因して生じ得る。図１に示されるように、ループ接触領域１６ａは、１つ以上のループを、接触がループ間で起こるように再位置決めすることによって形成され得る。別の方法では、接触領域は、１つ以上のループを変形することにより生成され得、それによってループ間の幅を、接触が２つ以上のループ間で作製されるように増加する。
【００９２】
別の方法では、上記２つ以上のループは、ハンダ付け、溶接、蝋付けまたは当業者によって公知の任意のその他の適切な方法によって連結される。あるいは、ジャンパーが２つ以上のループを一緒に連結し得るか、またはその他の適切な方法および手段が、２つ以上のループを連結するために用いられ得る。
【００９３】
らせん状アンテナ部材１１６の種々の幾何学的形状が図４Ａ〜４Ｆに示され、図４Ａ〜４Ｃは、当該技術分野で公知のらせん状アンテナ部材を示す。図４Ａは、時計回りらせん状形態を有するらせん状アンテナ部材１１６を含むマイクロ波アンテナアセンブリ１００を示し、そして図４Ｂは、反時計回りらせん状形態を有するらせん状アンテナ部材１１６を含むマイクロ波アンテナアセンブリ１０１を示す。各マイクロ波アンテナアセンブリ１００、１０１によって生成される磁場の方向は、らせん状アンテナ部材１１６のらせんの配向に依存する。従って、類似のサイズのアンテナアセンブリ１００、１０１によって生成されるエネルギー場は、方向が反対である。
【００９４】
図４Ｃおよび４Ｄ中に示されるように、個々のマイクロ波アンテナアセンブリ１０２、１０３は、らせん状アンテナ部材１１６をその遠位端で接触する内側コンダクター１２４を含む。図４Ｃでは、らせん状アンテナ部材１１６は、外側コンダクター１２６の遠位端１２６ａと接触する。あるいは、図４Ｄに示されるように、このらせん状アンテナ部材１１６は、外側コンダクター１２６の遠位端１２６ａと接触しなくても良く、またはそれから離れて間隔を置かれ得る。らせん状アンテナ部材１１６および内側コンダクター１２４は、別個の要素として示されているが、この内部コンダクター１２４およびらせん状アンテナ部材１１６は、本明細書中に含まれる実施形態のいずれにおいても別個の要素であっても良いし、またはなくても良い。
【００９５】
図４Ｅにおいて、マイクロ波アンテナアセンブリ１０４は、外側コンダクター１２６の遠位端と接触する近位端を有するらせん状アンテナ部材１１６を含む。らせん状アンテナ部材１１６は、外側コンダクター１２６の遠位端から遠位方向に延び、そしてらせん状アンテナ部材１１６の半径中心に沿って実質的に位置決めされる内側コンダクター１２４の一部分の周りで半径方向に位置決めされる。
【００９６】
図４Ａ〜４Ｅにおいて、上記らせん状アンテナ部材１１６は、本明細書内に記載され、そして教示されるように、このらせん状アンテナ部材１１６の２つ以上のループ間で電気的連結を形成することによって改変され得る。
【００９７】
図４Ｆ〜４Ｉは、二重らせんまたは二重渦巻きを形成するらせん状アンテナ部材１１６ａ、１１６ｂを含む個々のマイクロ波アンテナアセンブリ１０５〜１０８を示す。各マイクロ波アンテナアセンブリ１０５〜１０８は、第１の方向に配向された第１のらせん状アンテナ部材１１６ａ、および第２の方向に配向された第２のらせん状アンテナ部材１１６ｂを含む。第１のらせん状アンテナ部材１１６ａは、内側コンダクター１２４から形成されるか、またはそれに接続される。第２のらせん状アンテナ部材１１６ｂは、外側コンダクター１２６の遠位端に接続される。
【００９８】
図４Ｇおよび４Ｉにおいて、第１のらせん状アンテナ部材１１６ａの遠位端および第２のアンテナ部材１１６ｂの遠位端は、マイクロ波アンテナ１０５、１０８の遠位端で接続する。
【００９９】
（構造的に強化されたらせん状アンテナ部材）
前述のマイクロ波アンテナアセンブリのいずれも、このらせん状アンテナ部材のらせん内側に剛直性部材を付加することによって強化され得る。剛直性部材は、セラミック、ハードプラスチックまたはその他の適切な剛直性誘電性材料および絶縁された金属から作製され得る。これら剛直性部材は、上記らせん状アンテナ部材から供給ライン中に延び得、全体のマイクロ波アンテナアセンブリに、上記供給ラインとらせん状アンテナ部材との間の遷移点に剛直性を与える。
【０１００】
図５Ａは、剛直性部材なしで図４Ｄのらせん状アンテナ部材を示し、そして図５Ｂは、その中に配置された剛直性部材２１８をもつ図４Ｄのらせん状アンテナ部材を示す。
【０１０１】
図５Ｂに見られるように、剛直性部材２１８は、マイクロ波アンテナアセンブリ２００ｂのらせん状アンテナ部材２１６ｂ、内部コンダクター２２４の少なくとも一部分および／または供給ライン２２２の少なくとも一部分を支持し得る。剛直性部材２１８は、適切な絶縁性または非伝導性材料から、この材料が十分に剛直性／堅く、そしてマイクロ波エネルギーを送達するマイクロ波アンテナアセンブリ２００ｂの能力を物質的または有意に損なわないことを条件に形成され得る。
【０１０２】
図５Ａをおよび５Ｂを参照して、剛直性部材２１８は、２つの位置「Ａ」および「Ｂ」でマイクロ波アンテナアセンブリ２００ｂに支持を提供する。剛直性部材２１８の実質的な半径中心中に形成される内側管腔２１８ａは、内側コンダクター２２４のための支持を提供する。らせん状アンテナ部材２１６ｂは、剛直性部材２１８の外側周２１８ｂの周りに形成または巻かれる。剛直性部材２１８は、このらせん状形状の保存で支援し、そしてらせん状アンテナ部材２１６ｂの変形を防ぐ。
【０１０３】
剛直性部材２１８の少なくとも一部分は供給ライン２２２中に延び得、そして供給ライン２２２の遠位部分のための支持を提供する。剛直性部材２１８は、らせん状アンテナ部材２１６ｂのための支持を提供し、そして供給ライン２２２とアンテナ部分２１２との間の遷移を提供する。
【０１０４】
剛直性部材２１８は、図５Ｂに示されるように、均一な長軸方向／横断面積および／または寸法を有し得る。あるいは、剛直性部材２１８の断面積および／または寸法は、その長さに沿って１つい以上の位置で変動し得る。例えば、供給ライン２２２の外側コンダクター２２６内に配置される剛直性部材２１８の部分は、第１の断面積および／または寸法を有し得、そして供給ライン２２２の遠位端の遠位方向の剛直性部材２１８の部分は、第２の断面積および／または寸法を有し得る。あるいは、剛直性部材２１８の長さの少なくとも一部分はテーパー状であり得る。
【０１０５】
（剛直性らせんアンテナ部材を形成する方法）
図６Ａおよび６Ｂは、図４Ｂのらせん状アンテナ部材１０１への剛直性部材３１８の付加を示す。図６に示されるように、らせん状アンテナ部材３１６ａの近位部分「Ａ」内で、内側コンダクター３２４は、供給ライン３２２の中心からアンテナ部分３１２ａのらせん状部分の近位端まで遷移する。
【０１０６】
図６Ｂは、図６Ａのらせん状アンテナ部材３００ａから形成され、そしてその中に配置された剛直性部材３１８を含む、構造的に剛直性のらせん状アンテナアセンブリ３３０ｂを示す。剛直性部材３１８は、供給ライン３２２とアンテナ３１２ｂとの間で遷移を提供し得、そしてアンテナ３１２ａ、３１２ｂの部分「Ａ」および「Ｂ」に強度を提供し得る。剛直性部材３１８の少なくとも一部分は、供給ライン３２２の外側コンダクター３２６内に配置され、そして剛直性部材３１８の一部分は、外側コンダクター３２６の遠位部分を超えて延びる。この外側コンダクター３２６の遠位部分を超えて延びる剛直性部材３１８の部分の断面寸法は、供給ライン３２２の断面寸法に実質的に類似している。
【０１０７】
剛直性部材３１８は、近位部分「Ａ」の少なくとも一部分中に形成される管腔３１８ａを規定し、そしてそれが供給ライン３２２の中心からアンテナ３１２ｂのらせん部分まで遷移するとき、内部コンダクター３２４のための支持を提供する。管腔３１８ａの断面寸法は、その中に含まれる内側コンダクター３２４の寸法に一致し得るか、または管腔３１８ａはスロット状であり得、そして内側コンダクター３２４をスライド可能に係合し得る。供給ライン３２２内に配置された剛直性部材３１８の管腔３１８ａは、剛直性部材３１８内の実質的に中心に置かれ得る。アンテナ部分３１２ｂの近位部分「Ａ」では、らせん状アンテナ部材３１６ｂは、供給ライン３２２の中心から剛直性部材３１８の外面３１８ｂまで遷移する。剛直性部材３１８の管腔３１８ａは、供給ライン３２２の中心から剛直性部材３１８の外面３１８ｂまでの遷移の間でらせん状アンテナ部材３１６ａを支持する。
【０１０８】
外側コンダクター３２６内に配置された剛直性部材３１８の部分の断面寸法は、外側コンダクター３２６の内径の断面寸法に実質的に等しい。剛直性部材３１８および外側コンダクター３２６は係合し、そしてそれらの間に連結を提供する。係合の種々の方法が、外側コンダクター３２６内に剛直性部材３１８を固定するために用いられ得、例えば、プレスばめ係合、ねじによる係合、ロッキングタブ係合、化学的係合、例えば、接着剤もしくはエポキシ、または任意のその他の適切な係合方法または手段がある。
【０１０９】
図７Ａ〜７Ｂに示されるように、図６Ｂのらせん状アンテナアセンブリ３３０ｂは、図６Ａのらせん状アンテナアセンブリ３３０ａに構造的に剛直性の部材を付加することにより得られ得る。図６Ｂのらせん状アンテナアセンブリ３３０ｂは、図７Ａ〜７Ｃに示される方法によって形成される改変された供給ライン３２２を含む第１のアセンブリ４４０、および内側コンダクター３２４、らせん状アンテナ部材３１６ｂ、および剛直性部材３１８を含む第２のアセンブリ４４１を含む。
【０１１０】
図７Ａ〜７Ｃおよび７Ｇに示されるように、第１のアセンブリ４４０は、十分な長さの供給ライン／同軸ケーブル４２２をとること、および同軸ケーブル４２２ａを外側コンダクター４２６および絶縁４２５のみと触れさせるためにそれから内側コンダクター４２４を取り出すことにより形成される（工程４５０）。次に、同軸ケーブル４２２ｂの遠位部分から絶縁４２５の部分が除去される（工程４５１）。
【０１１１】
図７Ｃ〜７Ｆおよび図７Ｇのフローチャートに示されるように、第２のアンセブリ４４１は、らせん状アンテナ部材４１６および剛直性部材４１８を接続することにより形成される（工程４５２）。らせん状アンテナ部材４１６は、本明細書で上記に論議されるような任意の適切な細長い伝導性部材の部分から形成され得る。らせん状アンテナ部材４１６の少なくとも一部分は、剛直性部材４１８の管腔内に配置される。らせん状アンテナ部材４１６の適切な長さは、剛直性部材４１８の遠位端から遠位方向に延びる。
【０１１２】
第２のアセンブリ４４１の形成において、らせん状アンテナ部材４１６は、剛直性部材４１８の周りに、らせん状アンテナ部材４１６が剛直性部材４１８上に圧縮されるようにきつく巻かれ得る。あるいは、らせん状アンテナ部材４１６は、剛直性部材４１８上に、らせん状アンテナ部材４１６の２つ以上の隣接する巻き線が、本明細書で上記に論議されるように、互いと接触するように圧縮され得る。剛直性部材４１８は、らせん状アンテナ部材４１６が含まれる溝を含み得る。あるいは、このらせん状アンテナ部材４１６は、剛直性部材４１８上に金属を堆積することによって形成され得、そして供給ライン４２２は、任意の様式、例えば、ハンダ、クリンプ接着などでこのらせんに連結し得る。
【０１１３】
らせん状アンテナ部材４１６の長さに沿う、断面積および寸法は、本明細書で上記に論議されるように、均一である必要はない。例えば、らせん状アンテナ部材４１７のらせん部分の断面は、実質的に平坦である１つ以上の側面を有し得るか、または、例えば、円形、矩形、方形または横長のような任意の適切な形状の横断面寸法を有し得る。
【０１１４】
図６Ｂ中の対向する矢印４５３により、そして図７Ｇのフローチャートの工程４５３によって示されるように、構造的に剛直性のらせん状アンテナは、第１のアセンブリ４４０および第２のアセンブリ４４１を接続することによって形成される。第１のアセンブリ４４０と第２のアセンブリ４４１との接続は、第２のアセンブリ４４１の近位部分を第１のアセンブリ４４０の遠位部分中に挿入することによって実施され、ここで、らせん状アンテナ部材３１６ｂの遠位部分は、供給ライン３２２の内側コンダクター３２４を形成する。第２のアセンブリ４４１の剛直性部材３１８の少なくとも一部分は、第１のアセンブリ４４０の少なくとも一部分内に配置され得、その領域では、絶縁３２５が除去されている。
【０１１５】
図６Ｂを続けて参照し、第１のアセンブリ４４０の外側コンダクター３２６の遠位部分は、第２のアセンブリ４４１の剛直性部材３１８の近位部分を係合する。例えば、プレスばめ係合、ねじによる係合、ロッキングタブ係合、テーパーロック係合、化学的係合、例えば、接着剤もしくはエポキシ、または任意のその他の適切な係合方法または手段のような、係合の種々の方法が外側コンダクター３２６内に剛直性部材４１８を固定するために用いられ得る。
【０１１６】
図８Ａ〜８Ｂは、図４Ｃのマイクロ波アンテナアセンブリを示し、剛直性部材およびこのらせん状マイクロ波アンテナ５１６の少なくとも２つのループ間のループ接触領域５１６ａに形成された電気的接続が付加されている。図８Ａでは、このアンテナ部分５１２ａは、近位部分「Ａ」および遠位部分「Ｂ」を含む。近位部分「Ａ」では、らせん状マイクロ波アンテナ５１６は、外側コンダクター５２６の遠位部分に接続する。らせん状マイクロ波アンテナ５１６の遠位部分「Ｂ」は、らせん状アンテナ部材５１６のらせん形状部分、および供給ライン５２２から遠位方向に延び、そしてアンテナ部分５１６のらせん状部分の遠位端に接続する内側コンダクター５２４の部分を含む。
【０１１７】
図８Ｂは、図８Ａのマイクロ波アンテナアセンブリ５００を示し、アンテナ部分５１２ｂ中のらせん状アンテナ部材５１６を支持するための剛直性部材５１８を備える。剛直性部材５１８の一部分は、供給ライン５２２の外側コンダクター５２６内に配置され、そして剛直性部材５１８の一部分は、外側コンダクター５２６の遠位部分を超えて延びる。外側コンダクター５２６の遠位部分を超えて延びる剛直性部材５１８の部分の断面寸法は、供給ライン５２２の断面積に実質的に類似している。
【０１１８】
剛直性部材５１８は、その半径方向中心に位置される管腔５１８ａを規定し、そしてその実質的部分を通って延びる。剛直性部材５１８の管腔５１８ａは、供給ライン５２２の遠位端からアンテナ部分５１２ｂのらせん状マイクロ波アンテナの遠位端５１８まで延びる内側コンダクター５２４の部分のための支持経路を提供する。剛直性部材５１８の遠位端にある管腔５１８ａは、剛直性部材５１８の半径方向中心から剛直性部材５１８の周５１８ｂまで延びるように角度をなす。
【０１１９】
外側コンダクター５２６内に配置された剛直性部材５１８の断面寸法は、外側コンダクター５２６の内径に実質的に類似している。剛直性部材５１８および外側コンダクター５２６は係合し、そしてそれらの間で連結を形成する。例えば、プレスばめ係合、ねじによる係合、ロッキングタブ係合、テーパーロック係合、化学的係合、例えば、接着剤もしくはエポキシ、または任意のその他の適切な係合方法または手段のような、係合の種々の方法が外側コンダクター５２６内に剛直性部材５１８を固定するために用いられ得る。
【０１２０】
マイクロ波アンテナ部材５００の構造的剛直性（図８Ｂを参照のこと）は、図９Ａ〜９Ｆおよび９Ｂのフローチャートに示される工程によって得られ得る。図８Ｂに見られるように、らせん状マイクロ波アンテナアンセブリ５０１は、図９Ａ〜９Ｃに示される方法によって得られる第１のアセンブリ５４０、および図９Ｄ〜９Ｆに示される方法によって得られる第２のアセンブリ５４１を含む。
【０１２１】
図９Ａ〜９Ｃおよび図９Ｇのフローチャートに示されるように、第１のアセンブリ５４０は、十分な長さの供給ライン／同軸ケーブル５２２をとること、および同軸ケーブル５２２を外側コンダクター５２６および絶縁５２５のみと触れさせるために内側コンダクターを取り出すことにより形成される（工程５５０）。次に、同軸ケーブル５２２ｂの遠位部分から絶縁５２５の一部分が除去される（工程５５１）。
【０１２２】
図９Ｃ〜９Ｆおよび図９Ｇのフローチャートに示されるように、第２のアセンブリ５４１は、らせん状アンテナ部材５１６および剛直性部材５１８を接続することによって形成される（工程５２２）。らせん状アンテナ部材５１６は、本明細書で上記に論議された任意の適切な細長い伝導性部材の部分から形成され得る。らせん状アンテナ部材５１６の少なくとも一部分は、剛直性部材５１８の管腔５１８ａ内に配置される。らせん状アンテナ部材５１６の適切な長さが、剛直性部材５１８の遠位端から遠位方向に延びる。
【０１２３】
構造的に剛直性のらせん状アンテナは、第１のアセンブリ５４０と第２のアセンブリ５４１とを、図８Ｂ中の対向する矢印５５３、および図９Ｇの工程５５３によって示されるように接続することによって形成される。第１のアセンブリ５４０と第２のアセンブリ５４１との接続は、第２のアセンブリ５４１の近位部分を第１のアセンブリ５４０の遠位部分に挿入することによって実施され得る。らせん状アンテナ部材５１６の適切な長さが、供給ライン５２２の内側コンダクター５２４を形成し得る。第２のアセンブリ５４１の剛直性部材５１８の少なくとも一部分は、絶縁５２５が除去された領域中の第１のアセンブリ５４０の少なくとも一部分内に配置され得る。
【０１２４】
次に、らせん状アンテナ部材５１６の近位端が、外側コンダクター５２６の遠位部分に連結される（工程５５４）。連結は、ハンダ付け、溶接、クリンプ留めまたは２つの伝導性部材を連結するその他の適切な手段によって形成され得る。
【０１２５】
本開示に従って、接触領域５１６ａが、らせん状アンテナ部材５１６を剛直性部材と接続する前に形成され得る。接触領域は、らせん状アンテナ部材５１６と剛直性部材５１８とを接続する間、またはその後に形成され得る。図１および３に示されるような接触領域１６ａ、１１６ａは、らせん状アンテナ１６、１１６の１つ以上のループを位置決めすること、または再位置決めすることによって形成され得、２つ以上のループ間に接触領域１６ａ、１１６ａを形成する。ループ位置決め、またはループ再位置決めは、らせん状アンテナ部材が剛直性部材上に配置され、それによって少なくとも２つのループ間に接触を生成した後に実施され得る。あるいは、１つ以上のループが、圧縮および／または変形され得、それ故、１つ以上のループを広げ、それによって少なくとも２つのループ間に接触を生成する。
【０１２６】
本出願は、冷却されるらせん状アンテナ、種々のらせん状アンテナ幾何学的形状、構造的に強化されたらせん状アンテナおよび剛直性らせん状アンテナを形成する方法を開示する。本明細書で上記に記載された種々の実施形態が組み合わされ得ることが想定される。例えば、剛直性らせん状アンテナを形成する方法は、開示される任意の種々の幾何学的形状に適用され得、そして構造的に強化されたらせん状アンテナは組み合わされ得、そして冷却されるマイクロ波アンテナアンブリに取り込まれ得る。上記に記載のアセンブリおよび方法の改変、および当業者に自明である本開示の種々の局面は、請求項の範囲内であることが意図される。
【０１２７】
（要約）
マイクロ波アンテナアセンブリは、近位端および遠位端およびそれらの間に規定される内部管腔を有する細長い冷却ジャケット、およびこの細長い冷却ジャケットの少なくとも一部分内に配置され、そして内側コンダクターおよび外側コンダクターを有するらせん状マイクロ波アンテナ部材を備え、この内側コンダクターは外側コンダクター内に配置され、ここで、この内側コンダクターの少なくとも一部分は上記外側コンダクターから遠位方向に延び、そして少なくとも１つのループを形成し；そしてここで、この内側コンダクターは、マイクロ波エネルギーを送達するような形態である。
【図面の簡単な説明】
【０１２８】
【図１】図１は、本開示の実施形態による冷却されるらせん状マイクロ波アンテナアセンブリの遠位端の側面断面図である。
【図２】図２は、２つの冷却ジャケットを含む、図１の冷却されるらせん状マイクロ波アンテナアセンブリの遠位端の側方断面図である。
【図３】図３は、冷却ジャケット、鋭い先端部、流入チューブおよびアンテナ絶縁をそれから除いた、図１および２の冷却されるらせん状マイクロ波アンテナアセンブリの遠位端の側面断面図である。
【図４Ａ】図４Ａは、図１および図２の冷却されるらせん状マイクロ波アンテナアセンブリにおける使用のためのらせん状形状アンテナの種々の幾何学的形状である。
【図４Ｂ】図４Ｂは、図１および図２の冷却されるらせん状マイクロ波アンテナアセンブリにおける使用のためのらせん状形状アンテナの種々の幾何学的形状である。
【図４Ｃ】図４Ｃは、図１および図２の冷却されるらせん状マイクロ波アンテナアセンブリにおける使用のためのらせん状形状アンテナの種々の幾何学的形状である。
【図４Ｄ】図４Ｄは、図１および図２の冷却されるらせん状マイクロ波アンテナアセンブリにおける使用のためのらせん状形状アンテナの種々の幾何学的形状である。
【図４Ｅ】図４Ｅは、図１および図２の冷却されるらせん状マイクロ波アンテナアセンブリにおける使用のためのらせん状形状アンテナの種々の幾何学的形状である。
【図４Ｆ】図４Ｆは、図１および図２の冷却されるらせん状マイクロ波アンテナアセンブリにおける使用のためのらせん状形状アンテナの種々の幾何学的形状である。
【図４Ｇ】図４Ｇは、図１および図２の冷却されるらせん状マイクロ波アンテナアセンブリにおける使用のためのらせん状形状アンテナの種々の幾何学的形状である。
【図４Ｈ】図４Ｈは、図１および図２の冷却されるらせん状マイクロ波アンテナアセンブリにおける使用のためのらせん状形状アンテナの種々の幾何学的形状である。
【図４Ｉ】図４Ｉは、図１および図２の冷却されるらせん状マイクロ波アンテナアセンブリにおける使用のためのらせん状形状アンテナの種々の幾何学的形状である。
【図５Ａ】図５Ａは、図４Ｄのらせん状形状の幾何学的形状を含むらせん状マイクロ波アンテナアセンブリの遠位端の概略側方断面図である。
【図５Ｂ】図５Ｂは、補強形態を有する、図５Ａのらせん状マイクロ波アンテナアセンブリの遠位端の概略側方断面図である。
【図６Ａ】図６Ａは、図４Ｂのらせん形状の幾何学的形状を含むらせん状マイクロ波アンテナアセンブリの遠位端の概略側方断面図である。
【図６Ｂ】図６Ｂは、補強形態を有する図６Ａのらせん状マイクロ波アンテナアセンブリの遠位端の概略側方断面図である。
【図７Ａ】図７Ａは、図６Ｂの補強されたらせん状マイクロ波アンテナアセンブリの遠位端の組み立ての方法を示す。
【図７Ｂ】図７Ｂは、図６Ｂの補強されたらせん状マイクロ波アンテナアセンブリの組み立ての方法を示す。
【図７Ｃ】図７Ｃは、図６Ｂの補強されたらせん状マイクロ波アンテナアセンブリの組み立ての方法を示す。
【図７Ｄ】図７Ｄは、図６Ｂの補強されたらせん状マイクロ波アンテナアセンブリの組み立ての方法を示す。
【図７Ｅ】図７Ｅは、図６Ｂの補強されたらせん状マイクロ波アンテナアセンブリの組み立ての方法を示す。
【図７Ｆ】図７Ｆは、図６Ｂの補強されたらせん状マイクロ波アンテナアセンブリの組み立ての方法を示す。
【図７Ｇ】図７Ｇは、図６Ｂの構造的に剛直性のらせん状アンテナアセンブリの形成におけるステップのフローチャートである。
【図８Ａ】図８Ａは、図４Ｃのらせん形状の幾何学的形状を含むらせん状マイクロ波アンテナアセンブリの遠位端の概略側方断面図である。
【図８Ｂ】図８Ｂは、補強された形態を有する、図８Ａのらせん状マイクロ波アンテナアセンブリの遠位端の概略側方断面図である。
【図９Ａ】図９Ａは、図８Ｂの補強されたらせん状マイクロ波アンテナアセンブリを組み立てる方法を示す。
【図９Ｂ】図９Ｂは、図８Ｂの補強されたらせん状マイクロ波アンテナアセンブリを組み立てる方法を示す。
【図９Ｃ】図９Ｃは、図８Ｂの補強されたらせん状マイクロ波アンテナアセンブリを組み立てる方法を示す。
【図９Ｄ】図９Ｄは、図８Ｂの補強されたらせん状マイクロ波アンテナアセンブリを組み立てる方法を示す。
【図９Ｅ】図９Ｅは、図８Ｂの補強されたらせん状マイクロ波アンテナアセンブリを組み立てる方法を示す。
【図９Ｆ】図９Ｆは、図８Ｂの補強されたらせん状マイクロ波アンテナアセンブリを組み立てる方法を示す。
【図９Ｇ】図９Ｇは、図８Ｂの構造的に剛直性のらせん状アンテナアセンブリの形成におけるステップのフローチャートである。
【符号の説明】
【０１２９】
１０、１００  マイクロ波アンテナアセンブリ
１６  １１６  らせん状アンテナ部材
２４、１２４、２２４、３２４、４２４、５２４  内側コンダクター
２６、１２６、２２６、３２６、４２６、５２６  外側コンダクター
１２８  シャフト冷却ジャケット
１２９  アンテナ冷却ジャケット
５１６  らせん状マイクロ波アンテナ
【図１】
2008272472.tif 000002
【図２】
2008272472.tif 000003
【図３】
2008272472.tif 000004
【図４Ａ】
2008272472.tif 000005
【図４Ｂ】
2008272472.tif 000006
【図４Ｃ】
2008272472.tif 000007
【図４Ｄ】
2008272472.tif 000008
【図４Ｅ】
2008272472.tif 000009
【図４Ｆ】
2008272472.tif 000010
【図４Ｇ】
2008272472.tif 000011
【図４Ｈ】
2008272472.tif 000012
【図４Ｉ】
2008272472.tif 000013
【図５Ａ】
2008272472.tif 000014
【図５Ｂ】
2008272472.tif 000015
【図６Ａ】
2008272472.tif 000016
【図６Ｂ】
2008272472.tif 000017
【図７Ａ】
2008272472.tif 000018
【図７Ｂ】
2008272472.tif 000019
【図７Ｃ】
2008272472.tif 000020
【図７Ｄ】
2008272472.tif 000021
【図７Ｅ】
2008272472.tif 000022
【図７Ｆ】
2008272472.tif 000023
【図７Ｇ】
2008272472.tif 000024
【図８Ａ】
2008272472.tif 000025
【図８Ｂ】
2008272472.tif 000026
【図９Ａ】
2008272472.tif 000027
【図９Ｂ】
2008272472.tif 000028
【図９Ｃ】
2008272472.tif 000029
【図９Ｄ】
2008272472.tif 000030
【図９Ｅ】
2008272472.tif 000031
【図９Ｆ】
2008272472.tif 000032
【図９Ｇ】
2008272472.tif 000033